(57)【要約】      （修正有）【課題】使用中に抜けおちることなく、使用寿命を向上させる清掃パーツを提供する。【解決手段】連結ピースと、正面４３１、背面４３２及び左右側面４３３を大なる拭う面に形成し、一端はそれぞれ連結ピースに設けた多く吸水性の長い条片状体４と、それぞれ縦方向に前記片状体上に設けた多くの補強線とを包むことを特徴とする条形状の清掃パーツ。【選択図】図１
0003134973.tif 000002
【実用新案登録請求の範囲】
【請求項１】
連結ピースと、正面、背面及び左右側面を大なる拭う面に形成し、一端はそれぞれ連結ピースに設けた多く吸水性の長い条片状体と、それぞれ縦方向に前記片状体上に設けた多くの補強線とを包むことを特徴とする条形状の清掃パーツ。
【請求項２】
前記長い条片状体は連結ピースの両側に設けたことを特徴とする請求項１に記載の条形状の清掃パーツ。
【請求項３】
前記連結ピースと片状体は一体成形したことを特徴とする請求項１又は２記載の条形状の清掃パーツ。
【請求項４】
前記連結ピースには少なくとも一条の補強線を設けていることを特徴とする請求項１又は２記載の条形状の清掃パーツ。
【請求項５】
前記連結ピースは重ねられて一体に形成され、且つ、前記片状体も重ねられていることを特徴とする請求項１に記載の条形状の清掃パーツ。
【請求項６】
前記条片状体は少なくとも二条を一組とし、且つ、補強線を利用して一体に固設することを特徴とする請求項１記載の条形状の清掃パーツ。
【請求項７】
前記片状体には二条以上の補強線を設けてあることを特徴とする請求項１記載の条形状の清掃パーツ。
【請求項８】
前記の条片状体はＰＶＡコロジオン、スポンジ、模擬鹿の皮及び不織布中の一つであることを特徴とする請求項１記載の条形状の清掃パーツ。
【請求項９】
連結ピースは、数個の請求項１に記載の条形状の清掃パーツと一体に固設されるのを包括することを特徴とする条形状の清掃パーツ。
【請求項１０】
数個の請求項１記載の条形状清掃パーツが、その連結ピースはそれぞれ一つの接合ピースに固設されるのを包むことを特徴とする条形状の清掃パーツ。
【請求項１１】
握りバーと、該握りバーの末端に設けた固定座と、少なくとも一個の請求項１に記載の条形状の清掃パーツで、その連結ピースは前記固定座に固定されることを特徴とする条形状の清掃パーツ。
【請求項１２】
前記固定座は、上下の空室を有し、上空室は握りバーの末端に連接され、下空室の底部には数個のネジ孔を設けて有り、連結ピースの設置に用いる固定ピースと、数個の孔を設け、連結ピースを固定ピースの下空室へおし入れるのに用いる板体と、略きり状を呈し、板体面の連結ピースに向く一面に設け、連結ピース内に挿置した多数の凸起と、それぞれ末端が板体の孔を貫通した後、固定ピースの下空室のネジ孔に螺設することにより板体及び連結ピースを固定ピースの下空室内におし入れる数個のネジビスとを包むことを特徴とする請求項１１に記載の条形状の清掃パーツ。
【請求項１３】
前記固定座は、上空室を前記握りバーの末端に連接し、下空室はほぼ楕円形を呈し、底部に数個の外端が比較的大きいはしご孔を設け、該はしご孔内に段部を設けた上下空室を有する固定ピースと、略楕円形を呈し、連結ピースを固定ピースの下空室へおし入れるのに用いる板体と、該板体面の連結ピースに向く一面に設けた多くの凸起と、末端に隙間を有する二つの弾性とめピースを設け、二つの弾性とめピースには外向きに突出の拘持部が設けられ、該拘持部上に傾斜部を設けて、定位ピースは板体面の下空室に向く一面に設けている数個の定位ピースを包み、板体が連結ピースを下空室へおし入れた時、定位ピースの拘持部が段部に拘持することを特徴とする請求項１１記載の条形状の清掃パーツ。
【考案の詳細な説明】
【技術分野】
【０００１】
本考案は条形状の清掃パーツに関するものであり、特に、吸水性コロジオンで多数の長い条片状体を用いた条形状の清掃パーツに関するものである。
【背景技術】
【０００２】
従来床の清掃に用いるために、モップが用いられている。該モップを使用することより拭う時に腰を曲げる等の労苦を伴う動作を減少させる。伝統的モップは握りバーと該握りバーの前端に設けた固定座と、多くの条状片から成る構成を有していた。該従来のモップは水絞り中に容易に条状片がぬけ落ちるため、市場上は別にＰＶＡ発砲コロジオン又はＰＶＡコロジオン材料で形成した清掃具が出現して、コロジオンの強い吸水性及び水絞り容易な特性を介して、水絞りの時に時間及び力を省くことができるようにしているが、コロジオンの靱性は比較的悪いので破壊を回避するため、柱状体に形成しなければならない。しかし、このために使用後において容易に乾燥させることができず、乾燥したモップを使用する際は相当時間水に漬けた後、はじめて使用できる欠点を有する。この外、柱状体と床板の接触面積が非常に小さいため、拭く面積をも小さくなる。故に、しばしば水につけて清掃することで、はじめて継続的に床の清掃ができるので使用勝手が極めて悪い。
【考案の開示】
【考案が解決しようとする課題】
【０００３】
本考案は、上記従来例の欠陥に鑑みぬけ落ちることを防止し、不用意に破壊することなく、使用寿命が向上する条形状の清掃パーツを提供することを目的とする。
【０００４】
本考案の他の目的は比較的大きい拭い面を有する条形状の清掃パーツを提供するにある。
【課題を解決するための手段】
【０００５】
本考案は上記目的を達成するために提案せられたものであり、請求項１記載の考案は連結ピースと、正面、背面及び左右側面を大なる拭う面に形成し、一端はそれぞれ連結ピースに設けた多く吸水性の長い条片状体と、それぞれ縦方向に前記片状体上に設けた多くの補強線とを包むことを特徴とする条形状の清掃パーツを提供するものである。
【０００６】
請求項２記載の考案は前記長い条片状体は連結ピースの両側に設けたことを特徴とする請求項１に記載の条形状の清掃パーツを提供するものである。
【０００７】
請求項３記載の考案は前記連結ピースと片状体は一体成形したことを特徴とする請求項１又は２記載の条形状の清掃パーツを提供するものである。
【０００８】
請求項４記載の考案は前記連結ピースには少なくとも一条の補強線を設けていることを特徴とする請求項１又は２記載の条形状の清掃パーツを提供するものである。
【０００９】
請求項５記載の考案は前記連結ピースは重ねられて一体に形成され、且つ、前記片状体も重ねられていることを特徴とする請求項１に記載の条形状の清掃パーツを提供するものである。
【００１０】
請求項６記載の考案は前記条片状体は少なくとも二条を一組とし、且つ、補強線を利用して一体に固設することを特徴とする請求項１記載の条形状の清掃パーツを提供するものである。
【００１１】
請求項７記載の考案は前記片状体には二条以上の補強線を設けてあることを特徴とする請求項１記載の条形状の清掃パーツを提供するものである。
【００１２】
請求項８記載の考案は前記の条片状体はＰＶＡコロジオン、スポンジ、模擬鹿の皮及び不織布中の一つであることを特徴とする請求項１記載の条形状の清掃パーツを提供するものである。
【００１３】
請求項９記載の考案は連結ピースは、数個の請求項１に記載の条形状の清掃パーツと一体に固設されるのを包括することを特徴とする条形状の清掃パーツを提供するものである。
【００１４】
請求項１０記載の考案は数個の請求項１記載の条形状清掃パーツが、その連結ピースはそれぞれ一つの接合ピースに固設されるのを包むことを特徴とする条形状の清掃パーツを提供するものである。
【００１５】
請求項１１記載の考案は握りバーと、該握りバーの末端に設けた固定座と、少なくとも一個の請求項１に記載の条形状の清掃パーツで、その連結ピースは前記固定座に固定されることを特徴とする条形状の清掃パーツを提供するものである。
【００１６】
請求項１２記載の考案は前記固定座は、上下の空室を有し、上空室は握りバーの末端に連接され、下空室の底部には数個のネジ孔を設けて有り、連結ピースの設置に用いる固定ピースと、数個の孔を設け、連結ピースを固定ピースの下空室へおし入れるのに用いる板体と、略きり状を呈し、板体面の連結ピースに向く一面に設け、連結ピース内に挿置した多数の凸起と、それぞれ末端が板体の孔を貫通した後、固定ピースの下空室のネジ孔に螺設することにより板体及び連結ピースを固定ピースの下空室内におし入れる数個のネジビスとを包むことを特徴とする請求項１１に記載の条形状の清掃パーツを提供するものである。
【００１７】
請求項１３記載の考案は前記固定座は、上空室を前記握りバーの末端に連接し、下空室はほぼ楕円形を呈し、底部に数個の外端が比較的大きいはしご孔を設け、該はしご孔内に段部を設けた上下空室を有する固定ピースと、略楕円形を呈し、連結ピースを固定ピースの下空室へおし入れるのに用いる板体と、該板体面の連結ピースに向く一面に設けた多くの凸起と、末端に隙間を有する二つの弾性とめピースを設け、二つの弾性とめピースには外向きに突出の拘持部が設けられ、該拘持部上に傾斜部を設けて、定位ピースは板体面の下空室に向く一面に設けている数個の定位ピースを包み、板体が連結ピースを下空室へおし入れた時、定位ピースの拘持部が段部に拘持することを特徴とする請求項１１記載の条形状の清掃パーツを提供するものである。
【考案の効果】
【００１８】
本考案は長い条片状体に比較的大きい拭い面を有し、その縦方向の中央箇所に少なくとも一条の補強線を設けることで靱性を増加し、しかも使用寿命を著しく向上させることができた。
【考案を実施するための最良の形態】
【００１９】
この考案は、使用中抜け落ちることなく、使用寿命が向上する条形状の清掃パーツを提供するという目的を達成するために連結ピースと、正面、背面及び左右側面を大なる拭う面に形成し、一端はそれぞれ連結ピースに設けた多く吸水性の長い条片状体と、それぞれ縦方向に前記片状体上に設けた多くの補強線とを包むことを特徴とする条形状の清掃パーツを提供することにより実現した。
【実施例】
【００２０】
以下、本考案の好適な実施例を図１乃至図１０に従って説明する。図１〜図３に示すように、本考案の条形状の清掃パーツは、連結ピース４０と、その正面４３１、背面４３２及び左右側面４３３が非常に大きい拭い面を形成し、その一端はそれぞれ連結ピース４０に設けた多くの吸水性の長い条片状体４３と、それぞれ片状体４３に設けられ、その靱性を増加できるもので、それの破壊を防止し、しかも使用寿命を増加できる多くの補強線５とを包む。本考案の条形状の清掃パーツ４の応用は、握りバー３と該握りバー３の末端に設けられた固定座２と、その連結ピースは固定座２に設けた条形状の清掃パーツ４とを包む。以下、詳細に述べる。
【００２１】
図２に示すように、片状体４３はＰＶＡコロジオン、スポンジ、模擬鹿皮又は不織布等コロジオン材料でできる。それは連結ピース４０の一側に設けられ、連結ピース４０と一体に成形される。連結ピース４０が一体的に重なりあって、片状体４３は幾重かの重なりにある。装着の時には連結ピース４０を固定座２に固設して片状体４３を固定座２の側縁に掛け置く。前記多くの片状体４３の正面、背面及び左右側面は非常に大きい拭い面を形成しているため、大面積の床板を拭くことができる。連結ピースは少なくとも一条の補強線５を設けることでその靱性を増加している。
【００２２】
補強線５は付着力のあるナイロンの線又は強さが高いすすぎの糸線でできる。それは、片状体４３の中央箇所に設けることで、片状体４３の靱性増加に用いて使用寿命の増加ができる。
【００２３】
固定座２は上下空室２２，２３を有し、上空室２２は握りバー３末端に連接され、下空室２３の底部には連結ピース４０の設置に用いる数個のネジ孔２５を設けた固定ピース２１と、数個の孔２６を設けて、連結ピース４０を固定ピース２１の下空室２３におし入れる板体２４と、略きり状を呈し、板体２４面が連結ピース４０に向くあの一面に設けて、連結ピース４０内に挿置することで片状体のぬけ出るのを回避する多くの突起２８と、それぞれ末端が板体２４の孔２６を貫通した後、固定ピース２１下空室２３のネジ孔２５に螺設することで、板体２４及び連結ピース４０を固定ピース２１の下空室２３内におし入れる数個のネジピース２９とを包む。
【００２４】
図４に示す第二実施例は、片状体４３ａも連結ピース４０ａの両側に設けることで、更に板体を拭う面を増加する。
【００２５】
図５に示す第三実施例の片状体４３ｂは少なくとも二条が一組で、並びに補強線５を利用して一体に固設されることで、その強度を増加している。
【００２６】
図６〜図７に示す第四及び第五実施例のように、これは床板拭き面積を増加するためになされたものである。図６に示すように、条形状の清掃パーツ４ｃは数個の条形状の清掃パーツ４から組成され、その連結ピース４０は少なくとも一条の補強線５６を利用して一体に固設される。図７に示すように、条形状の清掃パーツ４ｄは数個の条形状の清掃パーツ４から形成され、その連結ピース４０は少なくとも一条の補強線５７を利用して、それぞれ一つの接合ピース４１の両側に固設される。
【００２７】
図８に示す第六実施例のように、片状体４３ｄは縦方向に二条又はさらに多い（図示しない）補強線５を縫設することで、その靱性を増加する。
【００２８】
図９〜図１０に示す固定座の他の一実施例は、固定座２ａが上下空室２２ａ，２３ａを有し、上空室２２ａを前記握りバー３末端に連接し、下空室２３ａはほぼ楕円形を呈し、底部に数個の外端が比較的大きいはしご孔２５ａを設け、且つ、該はしご孔２５ａ内には段部２７ａを設けた固定ピースと、ほぼ楕円形を呈し、連結ピース４０を固定ピース２１ａの下空室２３ａへおし入れるのに用いる板体２４ａと、該板体２４ａ面で連結ピース４０に向く面に設けた数個の定位ピース６１と、末端に一つの隙間６９を設けることで二つの弾性拘ピース６３を形成し、二つの弾性拘ピース６３には外向きに突出の拘持部６７を設け、該拘持部６７上に傾斜部６５が設けられ、定位ピース６１は板体２４ａ面の下空室２３ａ向きの面に設けた数個の定位ピースとを包む。そして、板体２４ａが連結ピース４０を下空室２３ａにおし入れた時、板体２４ａ上の定位ピース６１末端は下空室２３ａのはしご孔２５ａに挿入する。この時、二つの弾性拘ピース６３の傾斜部６５ははしご孔２５ａの押し圧を受けて、二つの弾性拘ピース６３が隙間６９に向けて接近する。この後、二つの弾性拘ピース６３がはしご孔２５ａの段部２７ａを貫通した後に、自身の弾力でもって原状へ回復することで、その拘持部６７が段部２７ａに拘持できるのを介して連結ピース４０を下空室２３ａ内に固設する。
【００２９】
尚、本発明は、本発明の精神を逸脱しない限り種々の改変を為すことができ、そして、本発明が該改変されたものに及ぶことは当然である。
【図面の簡単な説明】
【００３０】
【図１】本考案の握りバー及び固定座を接合した立体図。
【図２】図１の握りバーを取り去った後の分解図。
【図３】本考案の頂視図。
【図４】本考案の第二実施例、片状体を連結ピースの両側に設けた斜視図。
【図５】本考案の第三実施例、少なくとも片状体が二条を一組とする説明図。
【図６】本考案の第四実施例、数個の条形状の清掃パーツを組合せた説明図。
【図７】本考案の第五実施例、数個の条形状の清掃パーツを接合ピースに固定した説明図。
【図８】本考案の第六実施例、その内片状体には二条の補強線を設けている。
【図９】本考案の他の固定座を結合した分解図。
【図１０】図９の固定座の断面図。
【符号の説明】
【００３１】
２，２ａ          固定座
３                握りバー
４，４ａ，４ｃ    条形状の清掃パーツ
５，５６，５７    補強線
２１，２１ａ        固定ピース
２２，２２ａ        上空室
２３，２３ａ        下空室
２４，２４ａ        板体
２５                ネジ孔
２５ａ              はしご孔
２６                孔
２７ａ              段部
２８，２８ａ        突起
２９                ネジピース
４０，４０ａ        連結ピース
４１                接合ピース
４３，４３ａ，４３ｂ，４３ｄ      吸水性の長い条片状体
６１                定位ピース
６３                弾性拘ピース
６５                傾斜部
６７                拘持部
６９                隙間
４３１              正面
４３２              背面
４３３              左右側面
【図１】
0003134973.tif 000003
【図２】
0003134973.tif 000004
【図３】
0003134973.tif 000005
【図４】
0003134973.tif 000006
【図５】
0003134973.tif 000007
【図６】
0003134973.tif 000008
【図７】
0003134973.tif 000009
【図８】
0003134973.tif 000010
【図９】
0003134973.tif 000011
【図１０】
0003134973.tif 000012